(57)【要約】【課題】容器の内部に収容した飲料水や薬品，化粧品などの液体の品質をできるだけ長期に保存することができると共に、暗所に前記容器を保管しても、十分な光触媒作用を行わせ、しかも、暗所に該容器の所在を確認することができる液体抗菌容器体を提供する。【解決手段】内部に液体ｂを収容する容器１と、該容器１内に設けて前記液体ｂと接触する基材２と、この基材２に設けた光触媒組成物層３と、基材２または前記光触媒組成物層３かに設けた蓄光剤４とを有する。【選択図】    図１
0003103801.tif 000002
【実用新案登録請求の範囲】
【請求項１】
内部に液体を収容する容器と、該容器内に設けて前記液体と接触する基材と、この基材に設けた光触媒組成物層と、前記基材または前記光触媒組成物層かに設けた蓄光剤とを有することを特徴とする液体抗菌容器体。
【請求項２】
基材の一側面に粘着層を設けて、容器内において、該容器内に収容した液体が接触し得る位置の壁部に、前記基材を貼着させたことを特徴とする請求項１記載の液体抗菌容器体。
【請求項３】
内部に液体を収容する容器と、該容器内において前記液体と接触する位置に設けた収納部材と、この収納部材内に設けた保持部材とを有する液体抗菌容器体であって、
前記収納部材は、内部の空間部に前記保持部材を包持させて、外側部に前記液体が流通し得る通孔を形成してあり、
前記保持部材は、基材と、この基材に設けて前記液体と接触する光触媒組成物層と、前記基材または前記光触媒組成物層かに設けた蓄光剤とを有することを特徴とする液体抗菌容器体。
【請求項４】
内部に液体を収容する容器と、該容器内において前記液体と接触する位置に設けた収納部材と、この収納部材内に設けた保持部材とを有する液体抗菌容器体であって、
前記収納部材は、前記保持部材の一部または全部を包持させてあり、
前記保持部材は、基材と、この基材に設けて前記液体と接触する光触媒組成物層と、前記基材または前記光触媒組成物層かに設けた蓄光剤とを有することを特徴とする液体抗菌容器体。
【考案の詳細な説明】
【技術分野】
【０００１】
本考案は、容器の内部に収容した液体の品質をできるだけ長期に保存することができると共に、暗所に容器を保管しても光触媒作用を行わせ、しかも、該容器の所在を確認することができる液体抗菌容器体に関する。
【背景技術】
【０００２】
従来、容器に収容された液体などを、前記容器内に設けた光触媒微粒子付着基材に対して紫外線を照射させ、前記液体の品質を保持させるものもある（特許文献１参照。）。
【０００３】
【特許文献１】特開平１１−５７６９８号公報
【０００４】
このものは、容器内に紫外線電灯を内蔵させて、この紫外線電灯によって光触媒作用をさせるもので、常に電灯線等の電源が必要となるため、持ち運びにあってはその移動が規制されるものであり、また、地震等の災害時にあって、停電時などでは、全く、光触媒作用がなされないもので、一般家庭や各地の防災倉庫などでの保管には不向きのものであった。
【０００５】
更に、停電時等において、この容器に入った液体が必要となったときは、該容器の在処がわかりにくく、緊急時の使用に不便であった。
【考案の開示】
【考案が解決しようとする課題】
【０００６】
本考案は、前記した問題点を解決するためになされたもので、内部に液体を収容する容器と、該容器内に設けて前記液体と接触する基材と、この基材に設けた光触媒組成物層と、前記基材または前記光触媒組成物層かに設けた蓄光剤とを有することにより、容器の内部に収容した液体の品質をできるだけ長期に保存することができると共に、暗所に容器を保管しても光触媒作用を行わせ、しかも、この容器の所在を確認することができる液体抗菌容器体を提供することを目的とする。
【課題を解決するための手段】
【０００７】
前記した目的を達成するための本考案は、
内部に液体を収容する容器と、該容器内に設けて前記液体と接触する基材と、この基材に設けた光触媒組成物層と、前記基材または前記光触媒組成物層かに設けた蓄光剤とを有する液体抗菌容器体の構成にある。
【０００８】
また、
基材の一側面に粘着層を設けて、容器内において、該容器内に収容した液体が接触し得る位置の壁部に、前記基材を貼着させる。
【０００９】
そして、
内部に液体を収容する容器と、該容器内において前記液体と接触する位置に設けた収納部材と、この収納部材内に設けた保持部材とを有する液体抗菌容器体であって、
前記収納部材は、内部の空間部に前記保持部材を包持させて、外側部に前記液体が流通し得る通孔を形成してあり、
前記保持部材は、基材と、この基材に設けて前記液体と接触する光触媒組成物層と、前記基材または前記光触媒組成物層かに設けた蓄光剤とを有する液体抗菌容器体の構成にある。
【００１０】
更に、
内部に液体を収容する容器と、該容器内において前記液体と接触する位置に設けた収納部材と、この収納部材内に設けた保持部材とを有する液体抗菌容器体であって、
前記収納部材は、前記保持部材の一部または全部を包持させてあり、
前記保持部材は、基材と、この基材に設けて前記液体と接触する光触媒組成物層と、前記基材または前記光触媒組成物層かに設けた蓄光剤とを有する液体抗菌容器体の構成にある。
【考案の効果】
【００１１】
前述のように構成される本考案は、液体抗菌容器体を設けた液体入り容器は、該容器内の液体に対して、紫外線により光触媒作用を発揮することにより、この容器内の液体を長期にわたってその品質保持を行うことができる。
基材または光触媒組成物層かに設けた蓄光剤を有することにより、暗所に容器を保管しても光触媒作用を行わせ、しかも、該容器の所在を確認することができる。
【考案を実施するための最良の形態】
【００１２】
次に本考案に関する液体抗菌容器体の一実施例を図面に基づいて説明する。
図１〜図４においてＡは第一実施例の液体抗菌容器体で、内部に液体ｂを収容する容器１内に設けて、前記液体ｂの品質を保持させるものであって、基材２と、この基材２に設けた光触媒組成物層３と、基材２または光触媒組成物層３かに設けた蓄光剤４とを有する。
【００１３】
前記した液体ｂを収容する容器１は、ポリエチレンやポリプロピレン，ナイロン，ポリエステル等の塑性加工可能なプラスチック素材が用いられるもので、上部に液体ｂが出し入れされる口元５が設けられ、適宜、スクリュー式や打栓式のキャップ６により閉塞される。
該容器１の上部には、可搬が可能となる取っ手７が設けられている。
この容器１は、液体ｂである、災害時の非常用の所定量（例えば、５〜２０リットル）の飲料水を長期に保存し得るものであると共に、他の使用例として、人体などに使用する目薬などの薬品や化粧品等の液体ｂなどを収容し保存することができ、該容器１の形態は内部に収容する液体ｂに応じて適宜選定し得るものである、用途に対しては特に限定されないものである。
【００１４】
前記した基材２は、容器１内において、該容器１内の液体ｂへ容易に溶出しないあるいは悪影響を与えない素材が選定されるもので、例えば、不織布シートや紙シート，合成樹脂製シート，これらの複合シートなど適宜な素材が用いられる。
その形態にあっては、例えば、帯状でかつ薄厚状に形成してある。
【００１５】
前記した光触媒組成物層３は、紫外線（可視光線を含む）の照射によって光触媒作用を示すもので、例えば、酸化チタンやハイドロキシアパタイト，チタニアなどが用いられるものであり、微粉末に形成させた粒子状光触媒組成物の単体あるいは、他の化合物（例えば、シリカやアルミナ、ジルコニア、ゼオライト、セラミックスなど）を混合して所定の化合物としたものを、基材２へ塗布やコーティング処理，溶射などの手段により設けたり、または、これら粒子状光触媒組成物の溶液中にドブ漬けなどの方法による含浸処理を行って、基材２の略全体に対して万遍なく前記光触媒組成物が行き渡るように、例えば、所定厚の層状などに形成する。
【００１６】
なお、前記した紫外線は、例えば、波長２５０ｎｍ〜５５０ｎｍ程度の範囲であって、直接照射される光以外も、光が直接照射されない面においてもその透過光によって、光触媒組成物層３が光触媒活性作用（液体ｂに接する光触媒組成物に光が当たると、その接触表面において液体ｂを分解し、活性酸素を発生することで、この光触媒組成物付近に存在する細菌などと反応し、液体ｂに存在する該細菌を分解させる作用）により、滅菌や殺菌効果を発揮し、液体ｂの長期鮮度保持が図れる。
【００１７】
前記した蓄光剤４は、一般的な金属化合物や希土類など複数を混合して、かつ、慣用の展色剤を混合することで作成されている。
そして、この蓄光剤４に紫外線や照明器具から照射される光が蓄積されて、暗所において、例えば、蛍光色を自然発光させることができ、この蓄光が容器１内に収容した液体ｂに対して照射し、光触媒組成物層３に対する光触媒作用を発揮し、液体ｂの滅菌や殺菌作用を行う。
特に、この蓄光剤４に蓄積されて発光する紫外線により生ずる光触媒の酸化効果は、波長３６０ｎｍ〜３８０ｎｍでピークに達するものであるが、この波長の反応ピークに合致する蓄光剤４を選定することが前記効果上好ましい。
【００１８】
この蓄光剤４を基材２へ施す際は、吹き付け塗装や電着塗装あるいは静電塗装など任意の慣用方法が用いられるものである。
更に、該蓄光剤４は、光触媒組成物の作成の際に混入させて、基材２への光触媒組成物層３を形成にあって一体的に施してもよい。
【００１９】
したがって、この第一実施例にあって、液体ｂが収容された容器１内に液体抗菌容器体Ａを口元５から投入させれば、該液体抗菌容器体Ａは、図１に示すように、容器１内の液体ｂに浮かんだり、あるいは、液体中に遊泳した状態となる。
【００２０】
そして、紫外線が、基材２に設けた光触媒組成物層３へ当たることにより、該光触媒組成物層３が光触媒作用を発揮して、例え、容器１内に収容した液体ｂに細菌などが混入していても、この光触媒作用により滅菌や殺菌処理を行って、容器１内の液体ｂを長期にわたってその品質の保持や維持を行うことができる。
特に、光触媒作用の発揮は紫外線により行われるため、広い範囲における波長の太陽光を使用することができて、光触媒組成物層３に対して万遍なく光線を照射させることができ、一層液体ｂの品質の保持や維持が行われる。
【００２１】
更に、前記紫外線が、基材２またはこの基材２に設けた光触媒組成物層３へ当たることにより、該基材２またはこの基材２に設けた光触媒組成物層３に設けた蓄光剤４に前記光が蓄えられると共に、この蓄光が自然発光して光触媒組成物層３に照射されるので、暗所においても、この光により光触媒作用を発揮させ、容器１内の液体ｂに対して滅菌や殺菌処理を行うことができる。
また、暗所において、蓄光剤４の前記蓄光が自然発光するので、一般家庭や倉庫などに保管している容器１の在処が容易に判別でき、災害時などの非常時に混乱することなく円滑に用いることができる。
したがって、液体、例えば飲料水の長期保存において、該飲料水内への防腐剤等の薬剤添加が全く不要となる。また、家具等の引き出しなどの暗所に収納した状態であっても、人体などに使用する目薬などの薬品や化粧品等の液体ｂなどを収容し保存に際して、防腐剤を添加しなくても済む。
【００２２】
なお、この液体抗菌容器体Ａは、図３，図４に示すように、基材２の一側面に粘着層８を設けて、容器１内において、該容器１内に収容した液体ｂが接触し得る位置の壁部１ｂに、基材２を貼着させることもできる。
この粘着層８の採用により、容器１内の適所へ液体抗菌容器体Ａを固着させることができ、例えば、紫外線が得られやすい方向や位置に対して、この液体抗菌容器体Ａを取り付けた容器１を保管場所において載置させることができ、光触媒作用と蓄光作用とを効率よく行うことができる。
【００２３】
また、基材２の全体が可撓性を有することで、貼着時に、容器１の内壁面に馴染んで、突出することなく他物と邪魔にならず、かつ、貼着性が良好となって該基材２の離脱が防止される。
【００２４】
なお、前記した粘着層８は、基材２を容器１内の内壁へ簡単に取り付けるためのもので、アクリル系やウレタン系の粘着剤が基材２の一側面に塗工等されている。
また、この粘着層８の最外層面には、図４に示すように、慣用の剥離紙９が貼着されていて、容器１に対してこの液体抗菌容器体Ａを用いるとき、該剥離紙９を粘着層８から剥がして、この粘着層８面部を容易に容器１内壁に貼り付けて取り付けることができる。
この粘着層８は、所定の接着力とかつ一定の剥離性を有するため、液体抗菌容器体Ａにおける基材２は、容器１内へ着脱自在に設けることができると共に、経年使用後、適宜、剥がして新しいものと交換したり、あるいは、その貼着箇所数を複数に増やしたりすることができる。
【００２５】
次に、図５〜図７に示す液体抗菌容器体Ａは、第二の例を示すもので、前記した第一の例と同様に、内部に液体ｂを収容する容器１内に設けて、液体ｂの品質を保持させるものであって、収納部材１０と、この収納部材１０内に設けた保持部材１１とを有する。
【００２６】
前記した収納部材１０は、内部の空間部１０ａに保持部材１１の一部または全部を包持させるように、ポリエチレン等の合成樹脂素材により成形されている。
特には、図６に示すように、中間部で二分割等できるカプセル状に形成して、このカプセルの外側部に、容器１内に収容した液体ｂが、該収納部材１０内部の空間部１０ａと容器１内とを流通し得る通孔１２を一箇所または複数箇所に形成してある。
【００２７】
前記した保持部材１１は、前記した第一の例における液体抗菌容器体Ａと同様に構成されるもので、基材２と、この基材２に設けた光触媒組成物層３と、基材２または基材２に設けた光触媒組成物層３かに設けた蓄光剤４とを有する。
なお、これら基材２と、光触媒組成物層３と、蓄光剤４とは、前記第一例と同様に構成され、同様の作用効果を奏するものであるから、その詳細な説明は、前記第一例の説明を援用して省略する。
この保持部材１１は、収納部材１０への収納に際しては、該収納部材１０をあらかじめ二分割にして、この内部の空間部１０ａに保持部材１１を挿入し、前記分割箇所を結合することで、図５に示すような、カプセル状内に納まる。
【００２８】
したがって、前記のように構成される本考案の液体抗菌容器体Ａの第二の例は、液体ｂが収容された容器１内に収納部材１０へ保持部材１１が収納された液体抗菌容器体Ａを口元５から投入させれば、該液体抗菌容器体Ａは、図７に示すように、容器１内の液体ｂに浮かんだり、あるいは、液体中に遊泳した状態となる。
【００２９】
そして、紫外線が、基材２に設けた光触媒組成物層３へ当たることにより、該光触媒組成物層３が光触媒作用を発揮して、例え、容器１内に収容した液体ｂに細菌などが混入していても、この光触媒作用により滅菌や殺菌処理を行って、容器１内の液体ｂを長期にわたってその品質の保持や維持を行うことができる。
特に、光触媒作用の発揮は紫外線により行われるため、広い範囲における波長の太陽光を使用することができて、光触媒組成物層３に対して万遍なく光線を照射させることができ、一層液体の品質の保持や維持が行われる。
【００３０】
更に、前記紫外線が、基材２またはこの基材２に設けた光触媒組成物層３へ当たることにより、該基材２またはこの基材２に設けた光触媒組成物層３に設けた蓄光剤４に前記光が蓄えられると共に、この蓄光が自然発光して光触媒組成物層３に照射されるので、暗所においても、この光により光触媒作用を発揮させ、容器１内の液体ｂに対して滅菌や殺菌処理を行うことができる。
また、暗所において、蓄光剤４の前記蓄光が自然発光するので、一般家庭や倉庫などに保管している容器１の在処が容易に判別でき、災害時などの非常時に混乱することなく円滑に用いることができる。
【００３１】
なお、保持部材１１を、図６や図８に示すように、薄厚のシート状に成形した場合には、図８に示すように、環状に収納部材１０Ｂを形成させて、保持部材１１を筒状に巻いた後、該保持部材１１の一部または全部を包持させてもよい。
【図面の簡単な説明】
【００３２】
【図１】本考案に関する液体抗菌容器体の第一の実施例の使用状態を示す一部縦断正面図である。
【図２】本考案に関する液体抗菌容器体の第一の実施例を一部を拡大断面して示す側面図である。
【図３】図２における液体抗菌容器体の他例の使用状態を示す一部縦断正面図である。
【図４】図３における液体抗菌容器体を一部を拡大断面して示す側面図である。
【図５】本考案に関する液体抗菌容器体の第二の実施例を一部を拡大断面して示す側面図である。
【図６】図５における液体抗菌容器体を分解して示す正面図である。
【図７】図５における液体抗菌容器体の使用状態を示す一部縦断正面図である。
【図８】図５における液体抗菌容器体の他の例を示す斜視図である。
【符号の説明】
【００３３】
Ａ…液体抗菌容器体．ｂ…液体．１…容器．１ａ…壁部．２…基材．３…光触媒組成物層．４…蓄光剤．８…粘着層．１０，１０Ｂ…収納部材．１１…保持部材．１２…通孔．
【図１】
0003103801.tif 000003
【図２】
0003103801.tif 000004
【図３】
0003103801.tif 000005
【図４】
0003103801.tif 000006
【図５】
0003103801.tif 000007
【図６】
0003103801.tif 000008
【図７】
0003103801.tif 000009
【図８】
0003103801.tif 000010